(57)【要約】【課題】背もたれの回転中心と背面テーブルの支持アームの回転中心を同心にできない場合でも背もたれ背面に設けたテーブルストッパと背もたれ背面に収納したテーブルとが背もたれの傾斜角度に係らず位置ズレしないリクライニング椅子を提供する。【解決手段】座１０と、傾倒可能な背もたれ２０と、背もたれの背面上部に設けられた案内路２６と、背もたれ下方の回転中心Ｃに下端が軸支され、上端部に設けた摺動部８２が案内路に係合されて摺動する中間部材８０と、中間部材と同軸に支持されたテーブル支持アーム７２と、該テーブル支持アーム７２の先端に軸支されたテーブル７０と、中間部材８０の上端部に設けられ、テーブル支持アームおよびテーブルを背もたれの背面に沿わせた収納位置でテーブルを係止可能なテーブルストッパ８６とを有する。【選択図】図２
2018090026.tif 000002
【特許請求の範囲】
【請求項１】
座と、
傾倒可能な背もたれと、
前記背もたれの背面上部に設けられ、前記背もたれの背面に沿って上下方向に延設された案内路と、
一端側が、前記背もたれより下方にあって前記背もたれの幅方向を軸方向とする回転中心に回動可能に支持され、前記背もたれの背面側で前記回転中心に対する径方向に沿って延設され、他端側の所定箇所に前記案内路に係合して案内される摺動部を有する中間部材と、
一端側が、前記中間部材の回転中心と同軸で回動可能に支持され、前記中間部材の後方側で前記回転中心に対する径方向に延設され、後方への回動が所定の傾斜角で止まるように規制されたテーブル支持部材と、
前記回転中心の軸方向にテーブル面が平行な姿勢で、閉位置と前記閉位置より後方に倒れた開位置との間で回動するように、前記テーブル支持部材の他端側に支持されたテーブル板と、
前記中間部材の上部に設けられ、前記テーブル板を前記テーブル支持部材ごと前記背もたれの背面に沿わせた収納位置で係止可能なテーブル保持部と、
を有する
ことを特徴とするリクライニング椅子。
【請求項２】
前記背もたれは、固定された回転中心を持たずに傾倒する
ことを特徴とする請求項１に記載のリクライニング椅子。
【請求項３】
前記開位置は、前記テーブル支持部材が前記所定の傾斜角にある状態で前記テーブル板のテーブル面が水平になる位置である
ことを特徴とする請求項１または２に記載のリクライニング椅子。
【発明の詳細な説明】
【技術分野】
【０００１】
本発明は、背もたれの背面に後席用のテーブルを収納可能に備えたリクライニング椅子に関する。
【背景技術】
【０００２】
航空機や列車、劇場などに設置されるリクライニング椅子には、背もたれの背面に、後席の着座者が使用するテーブルを収納可能に備えたものがある。通常、この種のリクライニング椅子では、背もたれの回転中心は定位置に固定されており、該背もたれと同じ回転中心に軸支された支持アームの先端にテーブル板が揺動可能に取り付けられている。収納時には、支持アームごとテーブル板を背もたれの背面に沿わせた収納位置とし、該テーブル板を背もたれの背面に設けたテーブルストッパで押さえて保持する。使用時にはテーブルストッパによる保持を解除して、テーブル板ごと支持アームを所定の傾斜角に後傾させ、さらに、テーブル板のみを水平な位置まで後傾させることでテーブル板を使用位置に展開させていた。
【０００３】
ところで、座を固定したまま背もたれを傾倒させると、尻ずれが生じて良好な座り心地を得ることが難しい。そこで、近年は、背もたれを傾倒させる際に座を後傾等させて連動させ、座と背もたれが全体としてゆり籠のように変位する、所謂、クレイドル方式のリクライニング椅子が各種提案されている。このようなリクライニング椅子では、背もたれの回転中心は、座の変位に伴って移動し、定位置に固定されていない。そのため、従来のように、テーブルの支持アームの回転中心を定位置に固定すると、背もたれの傾斜角度によって、背もたれの背面に設けたテーブルストッパと、背もたれ背面に沿わせた収納位置でのテーブル板との相対位置が変化し、たとえば、アップライト姿勢でテーブル板を保持できるようにテーブルストッパの取り付け位置を設定すると、リクライニング姿勢では収納位置のテーブル板とテーブルストッパとが位置ズレし、テーブル板をテーブルストッパで保持できなくなってしまう。
【０００４】
この問題を解決する一つの方法として、下記特許文献１には、背もたれの傾斜に応じて支持アームの基端部の支持位置を変位させる構成が開示されている。
【先行技術文献】
【特許文献】
【０００５】
特開２０１４−８３９３４号公報
【発明の概要】
【発明が解決しようとする課題】
【０００６】
特許文献１に開示のリクライニング椅子では、複数のガイド溝を設けて支持アームの基端部の支持位置を変位させる構成のため、構造が複雑化してしまう。また、背もたれの変位の仕方に合わせて支持アームの基端部の支持位置が適切に変化するようにガイド溝の形状を個別に設計しなければならない。
【０００７】
本発明は、上記の問題を解決しようとするものであり、背もたれの回転中心と背面のテーブルを支持するアームの回転中心を同心にできない場合でも、簡単な構造でありながら、背もたれ背面に設けたテーブルストッパと背もたれの背面に収納したテーブルとが背もたれの傾斜角度に係らずに位置ズレしない機構を備えたリクライニング椅子を提供することを目的としている。
【課題を解決するための手段】
【０００８】
かかる目的を達成するための本発明の要旨とするところは、次の各項の発明に存する。
【０００９】
［１］座と、
傾倒可能な背もたれと、
前記背もたれの背面上部に設けられ、前記背もたれの背面に沿って上下方向に延設された案内路と、
一端側が、前記背もたれより下方にあって前記背もたれの幅方向を軸方向とする回転中心に回動可能に支持され、前記背もたれの背面側で前記回転中心に対する径方向に沿って延設され、他端側の所定箇所に前記案内路に係合して案内される摺動部を有する中間部材と、
一端側が、前記中間部材の回転中心と同軸で回動可能に支持され、前記中間部材の後方側で前記回転中心に対する径方向に延設され、後方への回動が所定の傾斜角で止まるように規制されたテーブル支持部材と、
前記回転中心の軸方向にテーブル面が平行な姿勢で、閉位置と前記閉位置より後方に倒れた開位置との間で回動するように、前記テーブル支持部材の他端側に支持されたテーブル板と、
前記中間部材の上部に設けられ、前記テーブル板を前記テーブル支持部材ごと前記背もたれの背面に沿わせた収納位置で係止可能なテーブル保持部と、
を有する
ことを特徴とするリクライニング椅子。
【００１０】
上記発明では、背もたれの下方で軸支された中間部材は、背もたれの上部の案内路に中間部材上部の摺動部が係合されるため、背もたれの背面に沿った状態に維持される。すなわち、たとえば、背もたれの回転中心と中間部材の回転中心が異なる位置にある場合や背もたれに固定位置の回転中心がないような場合には、背もたれの傾斜角度が変わると、背もたれと中間部材とが相対的に位置ズレする。この位置ズレは案内路の中を摺動部がスライドすることで吸収されるため、背もたれの背面に中間部材が沿った位置関係が維持される。一方、テーブル支持部材は中間部材と同軸に軸支されているので、背もたれと共に中間部材の傾斜角度が変化した場合でも、中間部材上部のテーブル保持部材と収納位置のテーブルとの位置関係（回転中心からの距離）は変化せず、どの傾斜角度においても、収納位置のテーブル板をテーブル保持部材で保持することができる。
【００１１】
［２］前記背もたれは、固定された回転中心を持たずに傾倒する
ことを特徴とする［１］に記載のリクライニング椅子。
【００１２】
［３］前記開位置は、前記テーブル支持部材が前記所定の傾斜角にある状態で前記テーブル板のテーブル面が水平になる位置である
ことを特徴とする［１］または［２］に記載のリクライニング椅子。
【発明の効果】
【００１３】
本発明に係るリクライニング椅子によれば、背もたれの回転中心と背面のテーブルを支持するアームの回転中心を同心にできない場合でも、背もたれの背面に設けたテーブルストッパと背もたれの背面に収納したテーブルとが、背もたれの傾斜角度に係らず位置ズレすることがなく、収納位置のテーブルをテーブルストッパで保持することができる。
【図面の簡単な説明】
【００１４】
【図１】本発明の実施の形態に係るリクライニング椅子の概略構造を示す正面図である。
【図２】テーブルを使用状態にしたアップライト姿勢のリクライニング椅子の概略構造を示す側面図である。
【図３】テーブルを収納位置にしたアップライト姿勢のリクライニング椅子の概略構造を示す側面図である。
【図４】中間姿勢（ポジション３）のリクライニング椅子の概略の構造を示す側面図である。
【図５】リクライニング姿勢（ポジション５）のリクライニング椅子の概略の構造を示す側面図である。
【図６】中間部材８０のスライドブロック８２を案内路２６から外した状態のリクライニング椅子を示す図である。
【図７】背フレームと、中間部材を分離した状態を示す斜視図である。
【図８】背フレームと中間部材との位置関係を背もたれの背面側からみた様子を示す図である。
【発明を実施するための形態】
【００１５】
以下、図面に基づき本発明の実施の形態を説明する。
【００１６】
図１は、本発明の実施の形態に係るリクライニング椅子５の概略構造を示す正面図であり、図２はリクライニング椅子５の概略構造を示す側面図である。
【００１７】
リクライニング椅子５は、背もたれ２０を起立させたアップライト姿勢から背もたれ２０を傾倒させたリクライニング姿勢へ変位する際に、座１０が後方へ下がりながら前端側よりも後端側が大きく下降するように変位し、座１０の変位に連動して背もたれ２０の傾斜角度が変化するように構成されている。リクライニング椅子５では、座１０の各位置における背もたれ２０の傾斜角度は着座者が自由に変更することはできず、座１０の各位置における背もたれ２０の傾斜角度が予め定めた角度に規定される。
【００１８】
また、リクライニング椅子５は、背もたれの背面に収納可能な後席用のテーブル７０を備えている。図２は、テーブル７０を展開した使用時の状態を示し、図３は、テーブル７０を背もたれ２０の背面に収納した収納状態を示している。
【００１９】
リクライニング椅子５では、座１０の各位置において、座り心地が良いとされる理想的な傾斜角度に背もたれ２０が連動するように設定してある。すなわち、椅子のプロトタイプの各型を基準として、各型をつなげてスムースにリクライニング動作するようになっている。したがって、どのポジションにおいても、最適な姿勢となって良好な座り心地が提供される。
【００２０】
具体的には、図２および図３に示すポジション１（アップライト姿勢）では、水平に対して座１０は０度となり、背もたれ２０は水平に対して９３度になってほぼ直立する。図４に示すポジション３（中間姿勢）では座１０は６度の後傾となり、背もたれ２０は水平に対して１０５度になる。図５に示すポジション５（リクライニング姿勢）では座１０は１２度の後傾となり、背もたれ２０は水平に対して１１５度になる。図示省略するが、ポジション１とポジション３の間のポジション２では座１０は３度の後傾となり、背もたれ２０は水平に対して１００度になる。また、ポジション３とポジション５の間のポジション４（図示省略）では座１０は９度の後傾となり、背もたれ２０は水平に対して１１０度になる。なお、図４、図５には、使用状態のテーブル７０を破線で示してある。
【００２１】
リクライニング椅子５は、着座者の尻が乗せられる座１０と、座１０と一体に回転中心Ｂが支持されて傾倒可能な背もたれ２０と、床面に設置されるベース部３０と、背もたれ２０の背面に収納可能なテーブル７０を有する。
【００２２】
座１０は、座枠１１をクッション材、被覆材等で覆って構成される。座枠１１は、リクライニング椅子５の前後方向に沿って設けられた一対の側板１２を座１０の幅に相当する間隔をあけて対向配置し、該一対の側板１２の前端と後端、および中央よりやや後端寄りの下部の３箇所をそれぞれ連結棒１３で連結して構成される。
【００２３】
背もたれ２０は、背フレーム２１をクッション材、被覆材等で覆って構成される。背フレーム２１は、下向きＵ字型に成形した枠と、該枠の左右の縦片を、縦方向に所定間隔をあけて数か所で繋ぐ横桟とから構成され、背フレーム２１の上部には、後述するスライドブロック８２が摺動する案内路が形成されたガイド板２５が取り付けられている。
【００２４】
ベース部３０は、床面に立てた状態でそれぞれリクライニング椅子５の前後方向に沿う向きに配置された左右一対の対向するベース板３１を備えている。左右のベース板３１は、数か所において、円柱状の連結棒３２で連結されている(図１参照)。
【００２５】
さらにリクライニング椅子５は、座１０をベース部３０に変位可能に取り付けるためのリンク機構を有する。該リンク機構は、一端がベース部３０のベース板３１の第１箇所Ｊ１（上部前端寄りの箇所）に回動可能に取り付けられた固定端であり、他端が座枠１１の側板１２の前端寄りの第２箇所Ｊ２に回動可能に取り付けられた自由端の第１リンク４１と、一端がベース板３１上部であって第１箇所Ｊ１より後方の第３箇所Ｊ３に回動可能に取り付けられた固定端であり、他端が座枠１１の側板１２の第２箇所Ｊ２より後方の第４箇所Ｊ４（側板１２の前後方向の中央よりやや後端側の部分）に回動可能に取り付けられた自由端の第２リンク４２を有する。
【００２６】
第１箇所Ｊ１と第３箇所Ｊ３の間のベース板３１は固定された第３リンクとなり、第２箇所Ｊ２と第４箇所Ｊ４の間の座枠１１の側板１２は第４リンクの機能を果たす。リンク機構は、これら第１、第２、第３、第４リンクからなる４節リンクとなっている。
【００２７】
図１に示すように、第１箇所Ｊ１は、座枠１１の左右の側板１２の間に架け渡された支持軸１６によって軸支されている。第２箇所Ｊ２についても同様である。第３箇所Ｊ３はベース部３０の左右のベース板３１を繋ぐ連結棒３２の端部に軸支されている。第４箇所Ｊ４についても同様である。
【００２８】
図２に示すように、第２リンク４２は第１リンク４１より長い。第１箇所Ｊ１と第３箇所Ｊ３は、床面からほぼ同じ高さにある。アップライト姿勢では、第２箇所Ｊ２と第４箇所Ｊ４についても床面からほぼ同じ高さにあり、座１０は前後に傾きの少ない状態(後端側がやや低い状態)にある。アップライト姿勢において、第１リンク４１、第２リンク４２は共に後方に少し傾斜し、第２リンク４２は第１リンク４１より長いため、第１リンク４１よりやや大きく後方に傾斜している。
【００２９】
上記のようなリンク機構を介してベース部３０のベース板３１に座枠１１の側板１２を支持することで、図２、図３のアップライト姿勢から図５のリクライニング姿勢に変位させる際に、座１０は、後方へ後退しつつ前端よりも後端が大きく下降するように変位する。
【００３０】
ここでは、座１０のやや前方かつ下方の所定の位置（リクライニング椅子５に着座した着座者のくるぶしの位置に相当する位置）を仮想回転中心Ａに設定し、座１０の変位が仮想回転中心Ａを中心に円弧を描く動きに近似するように、上記リンク機構による座１０の動きを設定してある。
【００３１】
背もたれ２０の背フレーム２１の下部には、該箇所から前方に突き出るように先端を前方に向けた略三角形の平板状の支持腕２２が取り付けられている。また、座枠１１は、各側板１２の側面に固定されてその固定箇所から上方に延設された支持板１４を備えている。該支持板１４の上部に、背フレーム２１に取り付けられた支持腕２２の先端部が回動可能に軸支される。支持腕２２が支持板１４に軸支されている箇所は、背フレーム２１の回転中心Ｂとなる。回転中心Ｂはアップライト姿勢のリクライニング椅子５に着座した着座者の尻の位置に対応する位置に設定されている。したがって、背もたれ２０の回転中心Ｂは、座１０が変位するとき、座１０と一体となって移動する。ここでは、前述した仮想回転中心Ａを中心に回転するような動きで回転中心Ｂが移動する。
【００３２】
ベース部３０のベース板３１の後端側の下部には、ガイド溝３３が穿孔されており、背フレーム２１の下端部に設けられた摺動部としてのガイドピン２３がガイド溝３３に挿入されている。
【００３３】
ガイド溝３３は、図２、図３〜図５に示すポジション１からポジション５の間の座１０の各位置において、背もたれ２０が所望の傾斜角度となるように湾曲具合が設定されている。図２、図３〜図５のポジション１からポジション５の間で座１０が変位するとき、背もたれ２０の回転中心Ｂは座１０と共に変位し、背フレーム２１の下端部のガイドピン２３はガイド溝３３に案内されてガイド溝３３の中を摺動する。すなわち、座１０の各位置において、背フレーム２１の回転中心Ｂに対する背フレーム２１の下端部（ガイドピン２３）の相対位置をガイド溝３３で規制することによって、座１０の各位置における背フレーム２１の傾斜角度を設定する。ガイド溝３３の位置、形状により、座１０の各位置に対応する背もたれ２０の傾斜角度を任意に設定することができる。
【００３４】
また、リクライニング椅子５は、座１０の座枠１１を、リクライニング姿勢の位置からアップライト姿勢の位置に向けて付勢するダンパー５０、および、座１０が変位しないように座１０をロックした状態とロックを解除した状態に切り替え可能なロック機構６０を備えている。
【００３５】
ダンパー５０は、座枠１１の左右一対の側板１２を連結する連結棒１３のうち、座の中央よりやや後方下部にある連結棒１３ａをピストンロッド５１で押し上げる。ピストンロッド５１の先端は連結棒１３ａに軸支され、ピストンロッド５１が出入りするシリンダ５２の下端は、上記の連結棒１３ａの真下よりやや後方寄りの位置でベース部３０に軸支されている。ダンパー５０は、エアーシリンダ、あるいはガススプリングなどで構成される。
【００３６】
ロック機構６０は、シリンダと、シリンダから進出した状態とシリンダに収納された状態とに進退するピストンロッドを備えて構成され、任意の進出位置でピストンロッドをロックすることができるようになっている。シリンダの後端はベース部３０の中央下部に軸支され、ピストンロッドの先端は座枠１１の前端側の連結棒１３ｂに軸支されている。
【００３７】
次に、テーブル７０の取り付け構造について説明する。
【００３８】
図６に示すように、リクライニング椅子５では、テーブル７０の取り付け構造として、背フレーム２１の上部に取り付けられたガイド板２５と、ガイド板２５の中を摺動する摺動部としてのスライドブロック８２と、中間部材８０と、テーブルストッパ８６と、テーブル支持アーム７２を有する。
【００３９】
テーブル支持アーム７２は、一端が、背もたれ２０より下方にあって背もたれ２０の幅方向を軸方向とする回転中心Ｃに回動可能に支持され、背もたれ２０の背面側において、該回転中心Ｃに対する径方向であって、背もたれ２０の背面のカーブに沿う形状で延設された平板棒状の部材であり、図７に示すように、背もたれ２０の幅方向に左右一対で設けられている。本例では、回転中心Ｃは、ガイド溝３３よりやや後方の位置にあり、ベース部３０に取り付けられた図示省略の補助部材に開設された穴に通した断面円形の金属棒が回転軸とされている。
【００４０】
テーブル支持アーム７２は、後方への回動が所定の傾斜角(図２に示す使用状態の位置)で止まるように規制されている。テーブル支持アーム７２は、図３に示すように、回転中心Ｃを中心に回動させて背もたれ２０の背面に沿わせた場合に、背もたれ２０の上端までの略半分の高さとなる長さにされている。
【００４１】
テーブル支持アーム７２の先端には、テーブル７０の一端が、支持軸７３により軸支されている。テーブル７０は、一対のテーブル支持アーム７２の間隔と略同幅を有する矩形平板状の部材であり、回転中心Ｃの軸方向にテーブル面が平行な姿勢で回動するように支持軸７３により軸支されている。すなわち、支持軸７３の軸方向は回転中心Ｃの軸方向と同一にされている。テーブル７０の回動範囲は、テーブル面がテーブル支持部材７２の延長上になる閉位置と、該閉位置よりも後方に倒れた所定の開位置との間に規制されている。図２に示すように、テーブル支持アーム７２を使用状態の位置に倒してテーブル７０を開位置に展開したとき、テーブル７０のテーブル面が丁度、水平になるように設定されている。
【００４２】
中間部材８０は、一端が、テーブル支持アーム７２の回転中心Ｃと同軸に軸支され、背もたれ２０の背面とテーブル支持アーム７２との間にあって、回転中心Ｃに対する径方向に、背もたれ２０の背面のカーブに沿う形状で、延設された略矩形の平板状の部材である。中間部材８０の背もたれ２０側の面の上部の所定箇所には、スライドブロック８２が固定されて取り付けられている。また中間部材８０の上端の背もたれ２０と反対側の面には、収納位置でテーブル７０を保持するためのテーブルストッパ８６が取り付けられている。テーブルストッパ８６は、下向きのロック位置と、横向きの解除位置とに回動可能な係止爪である。
【００４３】
図７に示すように、背フレーム２１の上部に設けられたガイド板２５には、矩形の穴２６が開設されている。該矩形の穴２６は、背もたれ２０の背面で上下方向に延びる案内路２６となっている。スライドブロック８２は、横長の直方体形状を成し、左右の端部に案内路２６と係合する溝８２ａが形成されている。案内路２６を構成する矩形の穴の左右の内縁がスライドブロック８２の左右の溝８２ａに嵌め入れて、スライドブロック８２は案内路２６に沿って摺動する。
【００４４】
上記のようにスライドブロック８２を背フレーム２１のガイド板２５に設けた案内路２６に係合させることで、図２〜図５に示すように、中間部材８０は、背もたれ２０の背面に沿った位置に保持される。
【００４５】
図３に示すように、テーブル７０を閉位置にし、テーブル支持アーム７２ごとテーブル７０を背もたれ２０の背面に沿わせた収納位置、テーブルストッパ８６を下向きにすると、丁度、テーブル７０の上端がテーブルストッパ８６に抑えられて収納位置に保持される。テーブルストッパ８６を横向きにすると、テーブルストッパ８６がテーブル７０から外れるように、テーブル７０のサイズ、テーブルストッパ８６の取り付け位置が設定されている。
【００４６】
次に、上記構成のリクライニング椅子５の動きを説明する。
【００４７】
着座者は、ロック機構６０をロック状態にすることで、座１０および背もたれ２０を任意の位置で固定することができる。
【００４８】
ロック機構６０によるロックを解除すると、座１０や背もたれ２０はアップライト姿勢（ポジション１）とリクライニング姿勢（ポジション５）の間で変位可能となる。このとき、座１０の変位(移動経路)はリンク機構によって制御される。座１０は、仮想回転中心Ａを中心に回動する動きに近似した動きをする。詳細には、リクライニングする際に座１０が後方に下がりながら後端側が前端より大きく下降するような動きで変位する。
【００４９】
座１０を変位させた場合、背もたれ２０の回転中心Ｂは座１０と一体に移動し、背フレーム２１の下端のガイドピン２３はベース部３０のガイド溝３３に沿って移動する。これにより、背もたれ２０は、座１０の各位置において予め定めた傾斜角度になり、どのポジションにおいても良好な座り心地が着座者に提供される。すなわち、座１０の後傾と背もたれ２０の傾斜を連動させることで、着座者の尻ずれを少なくし、着座者による余分や筋肉活動を軽減して、良好な座り心地を提供することができる。
【００５０】
座１０の変位に伴って背もたれ２０の傾斜角度が変化するとき、背もたれ２０の回転中心Ｂと、中間部材８０の回転中心Ｃが異なる位置にあるため、背フレーム２１の上端と中間部材８０の上端が位置ズレする。すなわち、背もたれ２０の傾斜角度に依存して回転中心Ｃから背フレーム２１の案内路２６までの距離が変化するのに対して、背もたれ２０の傾斜角度が変化しても回転中心Ｃからスライドブロック８２までの距離は変化しないので、背もたれ２０の傾斜角度を変えると、案内路２６とスライドブロック８２の相対位置が変化し、案内路２６の中をスライドブロック８２が移動する。
【００５１】
図８は、背フレーム２１と中間部材８０との位置関係を背もたれの背面側からみた様子を示す図であり、同図（ａ）はアップライト姿勢の状態を、同図（ｂ）はリクライニング姿勢の状態を示している。図８（ａ）および図２、図３に示すアップライト姿勢では、スライドブロック８２は案内路２６の下端側に位置しているが、図４、図５に示すように、背もたれ２０をリクライニング姿勢に倒すに伴って、案内路２６とスライドブロック８２との相対位置が変化し、リクライニング姿勢では、図８（ｂ）、図５に示すように、スライドブロック８２は案内路２６の上端側へと移動する。
【００５２】
一方、中間部材８０とテーブル支持アーム７２は同軸の回転中心Ｃに軸支されているので、傾斜角度が変化しても、回転中心Ｃからテーブルストッパ８６までの距離と、回転中心Ｃから閉位置にしたテーブル７０の上端までの距離はいずれも変化しない。そのため、背もたれ２０をどのような傾斜角度にしても、テーブル７０を背もたれ２０の背面に沿わせた収納位置にすれば、テーブル７０の上端とテーブルストッパ８６が位置ズレすることなく、テーブル７０をテーブルストッパ８６で押さえて保持することができる。
【００５３】
仮に、中間部材８０を設けずに、テーブルストッパ８６を背もたれ２０の背面に固定的に取り付けた場合、テーブル支持アーム７２の回転中心Ｃと、背もたれ２０（背フレーム２１）の回転中心Ｂとが異なる位置にあるため、背もたれ２０の傾斜角度を変えると、背もたれ２０側のテーブルストッパ８６と、収納位置にしたテーブル７０の上端とが位置ズレする。そのため、たとえば、アップライト姿勢にてテーブル７０を保持できる場所にテーブルストッパ８６を設けると、リクライニング姿勢ではテーブル７０を収納位置にしても、テーブルストッパ８６で該テーブル７０を保持できなくなってしまう。
【００５４】
本実施の形態に係るリクライニング椅子５では、テーブル支持アーム７２と同軸に回動する中間部材８０を設け、該中間部材８０にテーブルストッパ８６を取り付け、傾斜角度による中間部材８０と背もたれ２０との位置ズレを、背もたれ２０側の案内路２６の中を中間部材８０側のスライドブロック８２がスライド移動する構成で吸収することで、背もたれ２０の傾斜角度に係らず、収納位置のテーブル７０をテーブルストッパ８６で的確に保持することができる。
【００５５】
また、案内路２６と、スライドブロック８２を備えた中間部材８０を付加するだけで済むので、複雑化を招くことなく簡易な構成で上記の位置ズレのないリクライニング椅子５を得ることができる。また、上記中間部材８０を用いた機構は、本実施の形態で例示した背もたれ２０の回転中心Ｂの動きに限定されるものではなく、背もたれ２０の様々な変位に対応することができる。
【００５６】
なお、背もたれ２０の背面に対して中間部材８０が相対移動するため、背もたれ２０の背面と中間部材８０との隙間を、使用者が指などを挟まないように、十分少なくしてある。
【００５７】
また、背もたれ２０の傾斜角度を変える際に、背もたれ２０と中間部材８０とが相対移動していることを後席の着座者が良くわかるようにするために、背もたれの背面と中間部材８０(特に、テーブルストッパ８６を含むテーブルストッパユニット８７の部分)を背もたれ２０の背面と異なる素材にした。本実施の形態では、テーブルストッパユニット８７は樹脂で形成し、その周囲の背もたれ２０の背面は布地で覆うようにしてある。また、色も相違させてある。
【００５８】
また、案内路２６やスライドブロック８２などを背もたれ２０（あるいは背フレーム２１）の厚みの中に収まるように設けたので、背もたれ２０の背面にそれらが露出したり凹凸が増えたりすることなく、背もたれ２０の背面はすっきりと美しく構成されている。
【００５９】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６０】
実施の形態で示したリクライニング椅子５の構造は一例であり、これに限定されるものではない。たとえば、座１０を変位させたり、背もたれ２０を変位させたりする構造は実施の形態に例示したものに限定されない。たとえば、実施の形態では背もたれ２０の回転中心が座１０の変位に伴って移動したが、必ずしも移動しなくてもよい。本発明は、テーブル支持アーム７２の回転中心と同軸に回動する動きとは異なる動きで背もたれ２０の傾斜が変化するような椅子に対して好適である。すなわち、背もたれが、固定された回転中心を持たずに傾倒する動きをするような椅子、あるいは、背もたれの傾きを変える際に背もたれの回転中心が移動するような椅子に、本発明は好適である。
【００６１】
案内路２６と摺動部（スライドブロック８２）は実施の形態で例示したものに限定されない。案内路は、ガイド溝、ガイドレールなどでもよく、摺動部はそれに対応するものであればよい。
【００６２】
図２〜図４に示した座１０の変位と背もたれ２０の傾斜角度との関係は一例であり、これに限定されるものではない。
【符号の説明】
【００６３】
５…リクライニング椅子
１０…座
１１…座枠
１２…側板
１３…連結棒
１３ａ…座の中央よりやや後方下部にある連結棒
１３ｂ…座枠の前端側の連結棒
１４…支持板
１６…支持軸
２０…背もたれ
２１…背フレーム
２２…支持腕
２３…ガイドピン
２５…ガイド板
２６…案内路、矩形の穴
３０…ベース部
３１…ベース板
３２…連結棒
３３…ガイド溝
４１…第１リンク
４２…第２リンク
５０…ダンパー
５１…ピストンロッド
５２…シリンダ
６０…ロック機構
７０…テーブル
７２…テーブル支持アーム
７３…支持軸
８０…中間部材
８２…スライドブロック
８２ａ…溝
８６…テーブルストッパ
８７…テーブルストッパユニット
Ａ…仮想回転中心
Ｂ…背もたれの回転中心
Ｃ…テーブル支持アームおよび中間部材の回転中心
Ｊ１…第１箇所
Ｊ２…第２箇所
Ｊ３…第３箇所
Ｊ４…第４箇所
【図１】
2018090026.tif 000003
【図２】
2018090026.tif 000004
【図３】
2018090026.tif 000005
【図４】
2018090026.tif 000006
【図５】
2018090026.tif 000007
【図６】
2018090026.tif 000008
【図７】
2018090026.tif 000009
【図８】
2018090026.tif 000010